(57)【要約】【課題】  テレビ放送を受信する装置において、受信可能なチャンネルの実際の画像の状態を確認しながらチャンネルのプリセット作業を行うことができるようにする。【解決手段】  チャンネル設定画面３１の設定開始ボタン３４がＯＮされると、テレビ放送を受信するチューナに全てのチャンネルを順次選局させたときの各チャンネルの映像信号から静止画を取得し、この静止画から各チャンネルの受信状態を判定する。感度良く受信可能と判定されたチャンネル及び感度は悪いが一応受信可能と判定されたチャンネルの静止画４２、４４は、静止画表示画面４１に表示される。利用者は、チャンネル設定テーブル３２の任意のプリセットチャンネル番号３２−１に対応する受信チャンネル番号の入力欄３２−２近傍に、任意の静止画４２、４４をドラッグ＆ドロップすることで、プリセットチャンネル番号に受信チャンネル番号を割り当てることができる。【選択図】 図９
2005210546.tif 000002
【特許請求の範囲】
【請求項１】
テレビ放送を受信するチューナに全てのチャンネルを順次選局させたときの各チャンネルの映像信号から静止画を取得する静止画取得手段と、取得された静止画を記憶する静止画記憶手段と、記憶された静止画の状態から各チャンネルの受信状態を判定する判定手段と、受信可能と判定されたチャンネルの静止画とプリセットチャンネル番号に割り当てる受信チャンネル番号の入力欄とを表示装置に表示し、プリセットチャンネル番号に割り当てる受信チャンネル番号を利用者から受け付けるチャンネル設定手段とを備えることを特徴とするテレビチャンネル設定装置。
【請求項２】
前記判定手段は、チャンネルの映像信号から取得された静止画を構成する画素の色信号におけるＲ値およびＢ値が共にほぼ零となる画素の数を計数し、計数値が予め定められた第１の基準値よりも小さいチャンネルを受信可能なチャンネルと判定するものであることを特徴とする請求項１記載のテレビチャンネル設定装置。
【請求項３】
前記判定手段は、チャンネルの映像信号から取得された静止画を構成する画素の色信号におけるＲ値およびＢ値が共にほぼ零となる画素の数を計数し、計数値が予め定められた第１の基準値よりも小さいチャンネルを感度良く受信可能なチャンネルと判定し、計数値が前記第１の基準値よりも大きいが予め定められた第２の基準値よりも小さいチャンネルを少し感度が悪いが一応受信可能なチャンネルと判定するものであることを特徴とする請求項１記載のテレビチャンネル設定装置。
【請求項４】
前記チャンネル設定手段は、感度良く受信可能なチャンネルの静止画と少し感度が悪いが一応受信可能なチャンネルの静止画とを区分して表示するものであることを特徴とする請求項３記載のテレビチャンネル設定装置。
【請求項５】
前記チャンネル設定手段は、受信チャンネル番号の入力欄へのチャンネル番号入力を利用者から受け付けるものであることを特徴とする請求項１記載のテレビチャンネル設定装置。
【請求項６】
前記チャンネル設定手段は、表示されている静止画が受信チャンネル番号の入力欄近傍へドラッグ・アンド・ドロップされたとき該静止画が抽出された受信チャンネルの番号を前記入力欄に設定するものであることを特徴とする請求項１記載のテレビチャンネル設定装置。
【請求項７】
コンピュータを、テレビ放送を受信するチューナに全てのチャンネルを順次選局させたときの各チャンネルの映像信号から静止画を取得し、静止画記憶手段に記憶する静止画取得手段、前記静止画記憶手段に記憶された静止画の状態から各チャンネルの受信状態を判定する判定手段、受信可能と判定されたチャンネルの静止画とプリセットチャンネル番号に割り当てる受信チャンネル番号の入力欄とを表示装置に表示し、プリセットチャンネル番号に割り当てる受信チャンネル番号を利用者から受け付けるチャンネル設定手段、として機能させるテレビチャンネル設定プログラム。
【請求項８】
前記判定手段は、チャンネルの映像信号から取得された静止画を構成する画素の色信号におけるＲ値およびＢ値が共にほぼ零となる画素の数を計数し、計数値が予め定められた第１の基準値よりも小さいチャンネルを受信可能なチャンネルと判定するものであることを特徴とする請求項７記載のテレビチャンネル設定プログラム。
【請求項９】
前記判定手段は、チャンネルの映像信号から取得された静止画を構成する画素の色信号におけるＲ値およびＢ値が共にほぼ零となる画素の数を計数し、計数値が予め定められた第１の基準値よりも小さいチャンネルを感度良く受信可能なチャンネルと判定し、計数値が前記第１の基準値よりも大きいが予め定められた第２の基準値よりも小さいチャンネルを少し感度が悪いが一応受信可能なチャンネルと判定するものであることを特徴とする請求項７記載のテレビチャンネル設定プログラム。
【請求項１０】
前記チャンネル設定手段は、感度良く受信可能なチャンネルの静止画と少し感度が悪いが一応受信可能なチャンネルの静止画とを区分して表示するものであることを特徴とする請求項９記載のテレビチャンネル設定プログラム。
【請求項１１】
前記チャンネル設定手段は、受信チャンネル番号の入力欄へのチャンネル番号入力を利用者から受け付けるものであることを特徴とする請求項７記載のテレビチャンネル設定プログラム。
【請求項１２】
前記チャンネル設定手段は、表示されている静止画が受信チャンネル番号の入力欄近傍へドラッグ・アンド・ドロップされたとき該静止画が抽出された受信チャンネルの番号を前記入力欄に設定するものであることを特徴とする請求項７記載のテレビチャンネル設定プログラム。
【発明の詳細な説明】
【技術分野】
【０００１】
本発明はテレビ放送を受信する装置に関し、特にその地域において受信可能な放送チャンネルをサーチしてプリセットチャンネルに設定する作業を支援するテレビチャンネル設定装置に関する。
【背景技術】
【０００２】
我が国では数多くのアナログテレビ放送が放映されているが、或る地域においては全てのテレビ放送が受信できるわけではなく、感度良く受信できるチャンネルは幾つかのチャンネルに限定される。このため、従来より、テレビ放送を受信する装置の置かれた地域において受信可能な放送チャンネルをサーチし、受信可能なチャンネルの内から希望するチャンネルをユーザに選択させるための技術が提案されている。
【０００３】
例えば特許文献１には、オートプログラムキーが押されたとき、チューナに１チャンネルずつ順に選局させて、水平同期信号が検出されたかどうかによって当該チャンネルが受信可能か否かを判定し、受信可能なチャンネルの番号だけをメモリに蓄積し、走査した全チャンネルの番号を画面に表示すると共に前記蓄積されたチャンネルの番号はそれ以外のチャンネルの番号と識別可能な状態で表示し、表示されたチャンネル番号中の前記蓄積されたチャンネルのみを利用して視聴チャンネルを選択させるようにしている。
【０００４】
他方、特許文献２には、デジタル放送受信機における選局を高速に行う方法が開示されている。具体的には、視聴に用いる第１のチューナとは異なる第２のチューナを用いてデジタル放送を常時受信して、受信されたデジタル放送信号のＩピクチャから抽出した静止画とそのチャンネル番号とを対応付けた高速順次選局番組情報を作成して記憶し、ユーザから高速順次選局要求があった場合、高速順次選局番組情報から静止画を１つずつ順番に読み出してそのチャンネル番号と重畳させて画面に表示し、ユーザからチャンネル選択要求があった時に表示していたチャンネル番号を第１のチューナに選局させるようにしている。
【特許文献１】特開平６−２０５３２０号公報
【特許文献２】特開２００２−３２０１５３号公報
【発明の開示】
【発明が解決しようとする課題】
【０００５】
特許文献１に記載された従来技術によれば、水平同期信号が検出されたチャンネルは受信可能なチャンネルとして判断され、水平同期信号が検出されないチャンネルは受信できないチャンネルとして判断される。このため、完全に鮮明ではないが或る程度の画質で視聴できるチャンネルが、受信可能なチャンネルとして検出されるか、受信不可能なチャンネルとして検出されるかは、水平同期信号の検出精度、つまりチューナのハードウェアの性能に左右される。若し、受信不可能なチャンネルとして検出されると、そのような完全に鮮明ではないが或る程度の画質で視聴できるチャンネルをユーザは全く選択できないことになる。
【０００６】
なお、デジタル放送の場合、デジタル放送信号に重畳されて伝送されてきたＳＩ(Service Information)情報に基づいて作成される電子番組表に全チャンネルの番組データが含まれているため、その地域でどのデジタルチャンネルが視聴可能かどうかは電子番組表から直ちに判明し、アナログテレビ放送におけるように受信可能なチャンネルを検出する必要はなく、また完全に鮮明ではないが或る程度の画質で視聴できるチャンネルといったチャンネルは存在しない。特許文献２で各チャンネルの静止画を抽出しているのは、受信可能なチャンネルを判定するためでなく、チャンネル選択要求があった時に順次表示する各チャンネルの静止画を事前に準備しておくためである。
【０００７】
他方、特許文献１および特許文献２には記載されていないが、チャンネル選択方法の一つに、テレビのプリセットチャンネルに任意の受信チャンネルをプリセットし、以後、プリセットチャンネルを選択すれば、それに設定した受信チャンネルを選択できるようにする方法がある。例えば、プリセットチャンネル１に「ＮＨＫ総合」の受信チャンネルを設定しておけば、プリセットチャンネル１を選択すれば、「ＮＨＫ総合」が選択できる。このようなプリセットを行うにあたっては、受信可能なチャンネルを利用者が知っている必要がある。特許文献１に記載された技術を転用すれば、チャンネル番号のリスト上で、受信できるチャンネルを認識できるが、実際にどの程度の感度で受信できるものであるかはプリセットしてみないと分からないという問題があった。また、前述したように受信可能かどうかの判定を水平同期信号の検出によって行う方法では、精度がチューナのハードウェアに依存したものとなり、感度は少し悪いが一応受信できるチャンネルが受信可能チャンネルとして一切検出されないといった問題もある。
【０００８】
そこで本発明の目的は、受信可能なチャンネルの実際の画像の状態を確認しながらチャンネルのプリセット作業を行うことができるテレビチャンネル設定装置を提供することにある。
【０００９】
本発明の別の目的は、感度良く受信可能なチャンネルだけでなく、県境における他県のテレビアンテナ塔からの放送波など、少し感度が悪いが一応受信可能なチャンネルも漏れなくプリセットの候補として利用者に提示することのできるテレビチャンネル設定装置を提供することにある。
【００１０】
本発明のさらに別の目的は、チャンネルのプリセット作業をより簡単かつ効率良く実施することのできるテレビチャンネル設定装置を提供することにある。
【課題を解決するための手段】
【００１１】
本発明の第１のテレビチャンネル設定装置は、テレビ放送を受信するチューナに全てのチャンネルを順次選局させたときの各チャンネルの映像信号から静止画を取得する静止画取得手段と、取得された静止画を記憶する静止画記憶手段と、記憶された静止画の状態から各チャンネルの受信状態を判定する判定手段と、受信可能と判定されたチャンネルの静止画とプリセットチャンネル番号に割り当てる受信チャンネル番号の入力欄とを表示装置に表示し、プリセットチャンネル番号に割り当てる受信チャンネル番号を利用者から受け付けるチャンネル設定手段とを備えることを特徴とする。
【００１２】
本発明の第２のテレビチャンネル設定装置は、第１のテレビチャンネル設定装置において、前記判定手段は、チャンネルの映像信号から取得された静止画を構成する画素の色信号におけるＲ値およびＢ値が共にほぼ零となる画素の数を計数し、計数値が予め定められた第１の基準値よりも小さいチャンネルを受信可能なチャンネルと判定するものであることを特徴とする。
【００１３】
本発明の第３のテレビチャンネル設定装置は、第１のテレビチャンネル設定装置において、前記判定手段は、チャンネルの映像信号から取得された静止画を構成する画素の色信号におけるＲ値およびＢ値が共にほぼ零となる画素の数を計数し、計数値が予め定められた第１の基準値よりも小さいチャンネルを感度良く受信可能なチャンネルと判定し、計数値が前記第１の基準値よりも大きいが予め定められた第２の基準値よりも小さいチャンネルを少し感度が悪いが一応受信可能なチャンネルと判定するものであることを特徴とする。
【００１４】
本発明の第４のテレビチャンネル設定装置は、第３のテレビチャンネル設定装置において、前記チャンネル設定手段は、感度良く受信可能なチャンネルの静止画と少し感度が悪いが一応受信可能なチャンネルの静止画とを区分して表示するものであることを特徴とする。
【００１５】
本発明の第５のテレビチャンネル設定装置は、第１のテレビチャンネル設定装置において、前記チャンネル設定手段は、受信チャンネル番号の入力欄へのチャンネル番号入力を利用者から受け付けるものであることを特徴とする。
【００１６】
本発明の第６のテレビチャンネル設定装置は、第１のテレビチャンネル設定装置において、前記チャンネル設定手段は、表示されている静止画が受信チャンネル番号の入力欄近傍へドラッグ・アンド・ドロップされたとき該静止画が抽出された受信チャンネルの番号を前記入力欄に設定するものであることを特徴とする。
【発明の効果】
【００１７】
本発明によれば、受信可能なチャンネルの実際の画像の状態を確認しながらチャンネルのプリセット作業を行うことができる。その理由は、静止画取得手段がテレビ放送を受信するチューナに全てのチャンネルを順次選局させたときの各チャンネルの映像信号から静止画を取得して静止画記憶手段に記憶させ、判定手段が記憶された静止画の状態から各チャンネルの受信状態を判定し、チャンネル設定手段が、受信可能と判定されたチャンネルの静止画とプリセットチャンネル番号に割り当てる受信チャンネル番号の入力欄とを表示装置に表示し、プリセットチャンネル番号に割り当てる受信チャンネル番号を利用者から受け付けるからである。
【００１８】
また本発明によれば、感度良く受信可能なチャンネルだけでなく、県境における他県のテレビアンテナ塔からの放送波など、少し感度が悪いが一応受信可能なチャンネルも漏れなくプリセットの候補として利用者に提示することができる。その理由は、判定手段が、チャンネルの映像信号から取得された静止画を構成する画素の色信号におけるＲ値およびＢ値が共にほぼ零となる画素の数を計数し、計数値が予め定められた第１の基準値よりも小さいチャンネルを感度良く受信可能なチャンネルと判定し、計数値が前記第１の基準値よりも大きいが予め定められた第２の基準値よりも小さいチャンネルを少し感度が悪いが一応受信可能なチャンネルと判定するからである。
【００１９】
また本発明によれば、チャンネルのプリセット作業をより簡単かつ効率良く実施することができる。その理由は、チャンネル設定手段は、表示されている静止画が受信チャンネル番号の入力欄近傍へドラッグ・アンド・ドロップされたとき該静止画が抽出された受信チャンネルの番号を前記入力欄に設定するからである。
【発明を実施するための最良の形態】
【００２０】
図１を参照すると、本発明の実施の形態は、テレビ機能を有するパーソナルコンピュータであり、ＶＨＦテレビ放送およびＵＨＦテレビ放送を受信するためのアンテナ１１及びそれに接続されたチューナ１２と、チューナ１２から出力されるアナログ信号（ＩＦ信号）をデジタル信号に変換するＡ／Ｄ変換器１３と、Ａ／Ｄ変換器１３の出力を入力し、映像信号および音声信号を再生して出力するＮＴＳＣデコーダ１４と、液晶ディスプレイなどの表示装置１５と、そのドライバ１６と、スピーカ１７と、そのドライバ１８と、主としてチャンネル設定に関連する制御を実施するＣＰＵを含んで構成される制御部１９と、それに接続された記憶部２０と、キーボードやマウスなどの入力装置２１と、ＮＴＳＣデコーダ１４、ドライバ１６、１８、制御部１９および入力装置２１を相互に接続するＰＣＩバス２２とを含んで構成される。
【００２１】
図２を参照すると、記憶部２０には、制御部１９の実行に必要な以下のようなデータおよびプログラムが記憶されている。
【００２２】
受信チャンネル情報２０−１には、我が国でテレビ放送用に使用されている受信チャンネルの情報が設定されている。具体的には、受信チャンネル情報２０−１には、チャンネル番号１〜１２（ＶＨＦ帯）およびチャンネル番号１３〜６２（ＵＨＦ帯）の合計６２チャンネルの情報が記憶されている。
【００２３】
受信局名一覧情報２０−２には、都道府県別にその地域における受信チャンネル１〜６２に対応する放送局名が記憶されている。
【００２４】
キャプチャデータ記憶部２０−３は、ＮＴＳＣデコーダ１４からＰＣＩバス２２に出力される映像信号を制御部１９がキャプチャした静止画のデータを一時的に記憶するために使用される。
【００２５】
砂嵐カウンタ２０−４および受信状態判定用基準値（Ｌｈ、Ｌｉ）２０−５は、キャプチャした静止画に基づいて受信状態を判定するために使用される。本実施の形態においては、カラー放送の受信画像が感度が悪くなるほど図３に示すような基本的に白と黒と灰色（いわゆるモノクロ）の砂嵐のような映像に近くなる現象を利用して、画像から受信感度を判定する。カラー放送の場合、キャプチャした静止画の各画素（ドット）の色信号はＲＧＢ信号で表現され、モノクロの砂嵐の場合、各画素のＲ値およびＢ値は零（０）になるため、Ｒ値およびＢ値が共に零になる画素の総数を砂嵐カウンタ２０−４で計数し、或る基準値より少なければ感度良く映像を受信できていると判断することができる。このとき使用する基準値がＬｈであり、その値は経験的に決定される。また、Ｒ値およびＢ値が共に零になる画素の総数が基準値Ｌｈ以上であっても、別の或る基準値より少なければ感度は少し悪くなるものの視聴は一応可能と判断することができる。そのときの前記別の或る基準値がＬｉであり、その値は経験的に決定される。なお、この例では感度が悪いとモノクロ映像になる場合で説明したが、青映像になる場合などでも同様の処理で対応できる。
【００２６】
チャンネル設定画面記憶部２０−６は、プリセットチャンネル番号に割り当てる受信チャンネル番号を利用者から受け付けるためのチャンネル設定画面の情報を記憶する部分である。チャンネル設定画面の一例を図４に示す。この例のチャンネル設定画面３１は、１から１２迄のプリセットチャンネル番号３２−１に対応して、割り当てる受信チャンネル番号の入力欄３２−２と放送局名の表示欄３２−３とを設けてあるチャンネル設定テーブル３２と、テレビを視聴する地域を都道府県名で指定する地域指定欄３３と、チャンネル設定作業の開始を指示するための設定開始ボタン３４と、受信状態判定中のチャンネルの実映像をモニタ表示するモニタ画面３５と、チャンネル設定テーブル３２に設定した受信チャンネルを確定させるための確定ボタン３６と、チャンネル設定テーブル３２に設定した受信チャンネルをキャンセルするためのキャンセルボタン３７とを含んで構成されている。
【００２７】
受信可能チャンネルの静止画表示画面記憶部２０−７は、受信可能と判定されたチャンネルの静止画を表示するための静止画表示画面の情報を記憶する部分である。静止画表示画面の一例を図５に示す。この例の静止画表示画面４１は、感度良く受信可能なチャンネルの静止画４２とその受信チャンネル番号を表示する欄４３と、少し感度は落ちるが一応受信可能なチャンネルの静止画４４とその受信チャンネル番号を表示する欄４５とを含んで構成されている。この静止画表示画面４１は、図４のチャンネル設定画面３１と並べて表示装置１５に同時に表示される。なお、別の実施例として、チャンネル設定画面３１と静止画表示画面４１とを１つの画面内に設けるようにすることも可能である。
【００２８】
プリセット情報記憶部２０−８は、確定ボタン３６によって確定されたチャンネル設定テーブル３２におけるプリセットチャンネル番号と受信チャンネル番号との対応関係を示すプリセット情報を保持する部分である。
【００２９】
プログラム記憶部２０−９は、チャンネル設定プログラムを記憶する部分である。ここに記憶されたチャンネル設定プログラムは、制御部１９を構成するＣＰＵに読み取られ、そのＣＰＵの動作を制御することにより、そのＣＰＵ上に本実施の形態にかかるチャンネル設定装置を実現するための各種の機能手段を実現する。
【００３０】
図６および図７はチャンネル設定プログラムによる処理例を示すフローチャート、図８は図７の受信状態レベルの判別処理（Ｓ１１０）の詳細を示すフローチャートである。以下、各図を参照して本実施の形態の動作を説明する。
【００３１】
利用者が入力装置２１を操作してチャンネル設定の開始を指示すると、その指示を入力装置２１からＰＣＩバス２２を通じて受信した制御部１９は、記憶部２０のプログラム記憶部２０−９からチャンネル設定プログラムを読み出し、その実行を開始する。
【００３２】
まず制御部１９は、チャンネル設定画面記憶部２０−６からチャンネル設定画面の情報を読み出し、ＰＣＩバス２２経由でドライバ１６に送信することにより、図４に示したようなチャンネル設定画面３１を表示装置１５に表示する（図６のステップＳ１０１）。そして、地域指定欄３３に都道府県名が入力されるのを待つ（ステップＳ１０２）。
【００３３】
利用者が、現在いる地域を都道府県名で地域指定欄３３に入力すると、次に制御部１９は設定ボタン３４が押下されるのを待つ（ステップＳ１０３）。そして、設定ボタン３４が押下されると、ステップＳ１０４以降の処理の実行を開始する。
【００３４】
まず制御部１９は、受信可能チャンネルの静止画表示画面記憶部２０−７から静止画表示画面の情報を読み出し、ＰＣＩバス２２経由でドライバ１６に送信することにより、図５に示したような静止画表示画面４１を表示装置１５に表示する（ステップＳ１０４）。但し、初期の状態においては、上側の欄４３および下側の欄４５とも静止画は１枚も表示されていない。
【００３５】
次に制御部１９は、受信チャンネル情報２０−１を読み出し（ステップＳ１０５）、先頭の１つの受信チャンネル（例えば受信チャンネル「１」）に注目する（ステップＳ１０６）。そして、制御線２３を通じてチューナ２に指令を与えて注目中の受信チャンネルを選局させる（ステップＳ１０７）。チューナ２が注目中の受信チャンネルを選択すると、その映像信号および音声信号がＮＴＳＣデコーダ１４で再生されてＰＣＩバス２２を通じてドライバ１６および１８に出力される。通常のテレビ視聴時は、ドライバ１６がその映像信号を表示装置１５のテレビ画面に表示し、ドライバ１８がその音声信号をスピーカ１７に出力するが、チャンネル設定状態ではこのような動作は制御部１９の制御により抑止される。その代わり制御部１９は、映像信号をチャンネル設定画面３１のモニタ画面３５に表示し（ステップＳ１０８）、同時に映像信号データを１画面分にわたりキャプチャしてキャプチャデータ記憶部２０−３に記憶する（ステップＳ１０９）。次に、取得した静止画に基づいて当該受信チャンネルの受信状態レベルを判定する（ステップＳ１１０）。
【００３６】
図８を参照すると、受信状態レベルの判定処理では、まず砂嵐カウンタ２０−４を０に初期化する（ステップＳ２０１）。次に、キャプチャデータ記憶部２０−３に記憶された静止画の１画素（１ドット）に注目し（ステップＳ２０２）、その画素のＲＧＢ信号におけるＢ値およびＲ値が共に０であるかどうかを判別する（ステップＳ２０３、Ｓ２０４）。そして、Ｂ値およびＲ値の双方が０であれば、砂嵐カウンタ２０−４を１だけインクリメントし（ステップＳ２０５）、静止画の次の１画素に注目を移す（ステップＳ２０６）。Ｂ値またはＲ値の少なくとも一方が０でなければ、ステップＳ２０５をスキップして、静止画の次の１画素に注目を移す（ステップＳ２０６）。以上の処理を静止画の残りの全ての画素について繰り返す。
【００３７】
制御部１９は、静止画の全ての画素についての上述した処理を完了すると（ステップＳ２０７でＹＥＳ）、砂嵐カウンタ２０−４の計数値を受信状態判定用基準値ＬｈおよびＬｉと比較する（ステップＳ２０８、Ｓ２０９）。そして、砂嵐カウンタ２０−４の計数値が基準値Ｌｈより小さければ、注目中の受信チャンネルの受信状態レベルを最も感度良く受信できている「高」レベルと判定する（ステップＳ２１０）。また、砂嵐カウンタ２０−４の計数値が基準値Ｌｈ以上、基準値Ｌｉ未満であれば、注目中の受信チャンネルの受信状態レベルを、感度は悪いが一応受信可能なレベルである「中」レベルと判定する（ステップＳ２１１）。また、砂嵐カウンタ２０−４の計数値が基準値Ｌｉ以上であれば、注目中の受信チャンネルは当該地域では受信できないと判断し、最低の受信状態レベル「低」とする（ステップＳ２１２）。
【００３８】
再び図６を参照すると、受信状態レベルの判別処理Ｓ１１０を終えると、制御部２０は、受信状態レベルが「高」であれば、キャプチャデータ記憶部２０−３に記憶されている注目中受信チャンネルの静止画および注目中受信チャンネル番号をＰＣＩバス２２を通じてドライバ１６に送信し、表示装置１５に表示されている図５の静止画表示画面における上側の欄４３に表示させる（ステップＳ１１１、Ｓ１１２）。また、受信状態レベルが「中」であれば、同様にして注目中受信チャンネルの静止画および注目中受信チャンネル番号を図５の静止画表示画面における下側の欄４５に表示させる（ステップＳ１１１、Ｓ１１３）。他方、受信状態レベルが「低」であれば、注目中受信チャンネルの静止画および受信チャンネル番号は静止画表示画面４１に表示しない。
【００３９】
制御部１９は、１つの受信チャンネルについての上述した処理を終えると、受信チャンネル情報２０−１中の次の１つの受信チャンネルに注目を移し（ステップＳ１１４）、ステップＳ１０７に戻って上述した処理と同様の処理を繰り返す。このような処理を受信チャンネル情報２０−１中の残りの全ての受信チャンネルについて繰り返す。これによって、当該地域において感度良く受信できる受信チャンネルが発見される度に、そのチャンネルの映像信号の静止画および受信チャンネル番号が図５の静止画表示画面４１における上側の欄４３に表示され、また感度は悪いが一応視聴可能な受信チャンネルが発見される度に、そのチャンネルの映像信号の静止画および受信チャンネル番号が静止画表示画面４１の下側の欄４５に表示されていく。
【００４０】
制御部１９は、受信チャンネル情報２０−１中の全ての受信チャンネル１〜６２について上述した処理を完了すると（ステップＳ１１５でＹＥＳ）、図６の処理を終え、図７の処理へ進む。
【００４１】
図７の処理では、制御部１９は、表示装置１５に表示されている図４に示したチャンネル設定画面３１のチャンネル設定テーブル３２における何れかの受信チャンネル番号の入力欄３２−２への受信チャンネルの指定操作が行われたかどうか（ステップＳ１２１）、確定ボタン３６がＯＮされたかどうか（ステップＳ１２２）、キャンセルボタン３７がＯＮされたかどうか（ステップＳ１２３）、を判別する。
【００４２】
本実施の形態においては、感度良く受信可能な全てのチャンネルの静止画とチャンネル番号が静止画表示画面４１の上側の欄４３に表示されており、感度は悪いが一応受信可能な全てのチャンネルの静止画とチャンネル番号が静止画表示画面４１の下側の欄４５に表示されているため、利用者は、感度良く受信できるチャンネルはどれか、感度は悪いが一応受信できるチャンネルはどれかを、容易に認識することができると共に、感度の違いも静止画の状態を比べることで判断することができる。従って、プリセットする受信チャンネルの選択を正確に行うことが可能である。
【００４３】
チャンネル設定テーブル３２における受信チャンネル番号の入力欄３２−２への受信チャンネルの指定操作は、入力装置２１のキー操作で入力欄３２−２に受信チャンネルの番号を直接入力する操作以外に、図９に示すように、入力装置２１のマウス操作によって静止画表示画面４１に表示されている静止画を受信チャンネル番号の入力欄３２−２や放送局名の表示欄３２−３あるいはプリセットチャンネル番号３２−１にドラッグ＆ドロップする操作によっても行えるようになっている。この場合、制御部１９は、或る入力欄３２−２近傍に或る静止画がドラッグ＆ドロップされたことを検出すると、その静止画がキャプチャされた受信チャンネルのチャンネル番号を当該入力欄３２−２に自動的に設定する。また、制御部１９は、当該受信チャンネルと地域指定欄３３に指定された都道府県名とをキーに受信局名一覧情報２０−２を検索して、当該地域において当該受信チャンネルで放送している放送局名を取得し、この放送局名を前記入力欄３２−２に対応する放送局名の表示欄３２−３に表示する処理も行う（ステップＳ１２４）。
【００４４】
また、確定ボタン３６がＯＮされた場合、制御部１９は、チャンネル設定テーブル３２におけるプリセットチャンネル番号と受信チャンネル番号との対応関係を示すプリセット情報を生成し、プリセット情報記憶部２０−８に保存する（ステップＳ１２５）。そして、チャンネル設定に関連する一連の制御を終える。制御部１９は、プリセット後の視聴チャンネルの選択時、プリセット情報記憶部２０−８に記憶されたプリセット情報を参照して、チューナ１２の選局を制御する。つまり、或るプリセットチャンネルＸが利用者によって選択されたとき、プリセット情報を参照して、そのプリセットチャンネルＸに対応する受信チャンネル番号Ｙを取得し、制御線２３を通じてチューナ１２に対して受信チャンネルＹを選択するよう指令する。
【００４５】
他方、キャンセルボタン３７がＯＮされた場合、制御部１９は、チャンネル設定テーブル３２に設定されている受信チャンネル番号および放送局名を全てクリアし（ステップＳ１２６）、ステップＳ１２１に戻り、再度、利用者からの指定を待つ。
【００４６】
以上本発明の実施の形態について説明したが、本発明は以上の実施の形態にのみ限定されず、その他各種の付加変更が可能である。例えば、静止画表示画面４１には静止画と共に受信チャンネル番号を表示したが、受信チャンネル番号の指定を静止画のドラッグ＆ドロップ操作のみで行う場合、受信チャンネル番号の表示を省略することができる。これとは逆に、受信チャンネル番号に加えて、その受信チャンネル番号と地域指定欄３３で指定された都道府県名とをキーに受信局名一覧情報２０−２から検索した放送局名を静止画に添えて表示するようにしても良い。また、テレビを受信する機能を有するパーソナルコンピュータに本発明を適用したが、テレビ機能を有する携帯型の情報端末や携帯電話などにも適用することができる。
【産業上の利用可能性】
【００４７】
以上のように、本発明にかかるテレビチャンネル設定装置は、テレビ放送を受信する装置のプリセットチャンネルに受信チャンネルを設定する作業を支援する装置として有用であり、特に地方へ移動する毎にチャンネル設定をやり直す必要の多い可搬型のテレビ機能を有するパーソナルコンピュータや携帯端末などのチャンネル設定装置に用いるのに適している。
【図面の簡単な説明】
【００４８】
【図１】本発明の一実施の形態のブロック図である。
【図２】本発明の一実施の形態における記憶部の内容例を示す図である。
【図３】受信感度が悪い場合のテレビ映像の典型例を示す図である。
【図４】利用者に提示するチャンネル設定画面の一例を示す図である。
【図５】利用者に提示する静止画表示画面の一例を示す図である。
【図６】本発明の一実施の形態におけるチャンネル設定プログラムによる処理例を示すフローチャートである。
【図７】本発明の一実施の形態におけるチャンネル設定プログラムによる処理例を示すフローチャートである。
【図８】本発明の一実施の形態における受信状態レベルの判別処理の詳細を示すフローチャートである。
【図９】マウス操作によって静止画表示画面に表示されている静止画を、チャンネル設定画面における受信チャンネル番号の入力欄や放送局名表示欄にドラッグ＆ドロップしている様子を示す図である。
【符号の説明】
【００４９】
１１…アンテナ
１２…チューナ
１３…Ａ／Ｄ変換器
１４…ＮＴＳＣデコーダ
１５…表示装置
１６…ドライバ
１７…スピーカ
１８…ドライバ
１９…制御部
２０…記憶部
２１…入力装置
２２…ＰＣＩバス
２３…制御線
【図１】
2005210546.tif 000003
【図２】
2005210546.tif 000004
【図３】
2005210546.tif 000005
【図４】
2005210546.tif 000006
【図５】
2005210546.tif 000007
【図６】
2005210546.tif 000008
【図７】
2005210546.tif 000009
【図８】
2005210546.tif 000010
【図９】
2005210546.tif 000011